(57)【特許請求の範囲】
【請求項１】
背表紙幅を取得する背表紙幅取得手段と、
表表紙画像データ、裏表紙画像データ及び背表紙画像データを取得する表紙画像データ取得手段と、
前記背表紙幅取得手段により取得された背表紙幅の間隔を隔てて表表紙画像及び裏表紙画像が形成されるように、前記表紙画像データ取得手段により取得された表表紙画像データ及び裏表紙画像データを配置するとともに、前記表表紙画像と前記裏表紙画像を含む領域の幅方向中央位置と背表紙画像の中央位置とが一致するように、前記表紙画像データ取得手段により取得された背表紙画像データを配置する表紙画像データ配置手段と、
前記表紙画像データ配置手段により配置された前記表表紙画像データ、前記裏表紙画像データ及び前記背表紙画像データに基づいて表紙用の記録媒体に画像を形成する画像形成手段と、
を有することを特徴とする画像形成装置。
【請求項２】
前記背表紙画像データを処理する背表紙画像データ処理手段を有し、
前記表紙画像データ配置手段は、前記背表紙画像データ処理手段により処理を施された背表紙画像データを配置することを特徴とする請求項１に記載の画像形成装置。
【請求項３】
前記表紙画像データ配置手段により配置された前記背表紙画像データの前記表表紙画像データ及び前記裏表紙画像データとの重畳領域を抽出する重畳領域抽出手段を有し、
前記背表紙画像データ処理手段は、前記重畳領域抽出手段により抽出された重畳領域における前記背表紙画像データの処理を行うことを特徴とする請求項２に記載の画像形成装置。
【請求項４】
前記背表紙画像データ処理手段は、前記重畳領域における前記背表紙画像データを無効とすることを特徴とする請求項３に記載の画像形成装置。
【請求項５】
前記背表紙画像データ処理手段は、前記重畳領域における前記背表紙画像データと、前記重畳領域における前記表表紙画像データ及び前記裏表紙画像データとをＯＲ演算することを特徴とする請求項３に記載の画像形成装置。
【請求項６】
前記背表紙画像データ処理手段は、前記背表紙画像データから前記背表紙幅に対応する領域のデータを抽出する処理を行うことを特徴とする請求項２に記載の画像形成装置。
【請求項７】
前記背表紙画像データは、前記表表紙画像データ及び前記裏表紙画像データと同一のデータサイズであることを特徴とする請求項１〜６の何れか１項に記載の画像形成装置。
【請求項８】
請求項１〜７のいずれか１項に記載の画像形成装置と、
用紙束と前記画像形成装置により表紙用の画像が形成された記録媒体とを接合し、前記用紙束を前記記録媒体でコの字状に覆った冊子を生成する製本装置と、
を有することを特徴とする画像形成システム。
【請求項９】
前記製本装置は、前記用紙束と前記記録媒体とを接着剤により接着することにより接合することを特徴とする請求項８に記載の画像形成システム。
【請求項１０】
背表紙幅を取得する背表紙幅取得ステップと、
表表紙画像データ、裏表紙画像データ及び背表紙画像データを取得する表紙画像データ取得ステップと、
前記背表紙幅取得ステップにより取得された背表紙幅の間隔を隔てて表表紙画像及び裏表紙画像が形成されるように、前記表紙画像データ取得ステップにより取得された表表紙画像データ及び裏表紙画像データを配置するとともに、前記表表紙画像と前記裏表紙画像を含む領域の幅方向中央位置と背表紙画像の中央位置とが一致するように、前記表紙画像データ取得ステップにより取得された背表紙画像データを配置する表紙画像配置ステップと、
をコンピュータに実行させることを特徴とするプログラム。
【発明の詳細な説明】
【技術分野】
【０００１】
本発明は、画像形成装置、画像形成システム及びプログラムに関する。
【背景技術】
【０００２】
本の中身となる記録用紙（以下、本身用紙と称する）の束を表紙用紙で挟み込んで記録用紙の束を表紙用紙でコの字状に覆った冊子を生成する製本技術が知られ、この表紙用紙を提供する画像形成装置として表表紙画像、裏表紙画像及び背表紙画像の形成された表紙用紙を出力する画像形成装置が知られている（例えば、特許文献１参照）。
【０００３】
特許文献１では、背表紙原稿を読み込む際に、背表紙幅を設定して背表紙原稿の読み取り幅を決定し、背表紙原稿を読み込むことが開示されている。
【特許文献１】特開２０００−３３２９８７号公報
【発明の開示】
【発明が解決しようとする課題】
【０００４】
背表紙幅は、本身用紙の束の厚みに基づいて決定する必要があるが、仮に本身用紙の束の厚みが予想と異なっていた場合には、背表紙幅を変更する必要がある。
【０００５】
この際、特許文献１では、背表紙幅の設定値を変更することになるが、この変更により背表紙原稿の読み取り幅が異なってくるので、当初背表紙の幅方向の中央に画像が位置するように用意した原稿をそのまま読み取ってしまうと、画像形成した際に、背表紙の幅方向の中央からずれた位置に画像形成がされるようになる。そのため、変更後の背表紙幅に基づいて、背表紙の幅方向の中央に画像が位置するような新たな背表紙原稿を作成しなければならないという問題がある。
【０００６】
本発明は、以上のような問題に鑑みてなされたものであり、背表紙幅の変更にかかわらず背表紙の適正な位置に背表紙画像が形成される画像形成装置を提供することを目的としている。
【課題を解決するための手段】
【０００７】
本発明の画像形成装置は、背表紙幅を取得する背表紙幅取得手段と、表表紙画像データ、裏表紙画像データ及び背表紙画像データを取得する表紙画像データ取得手段と、前記背表紙幅取得手段により取得された背表紙幅の間隔を隔てて表表紙画像及び裏表紙画像が形成されるように、前記表紙画像データ取得手段により取得された表表紙画像データ及び裏表紙画像データを配置するとともに、前記表表紙画像と前記裏表紙画像を含む領域の幅方向中央位置と背表紙画像の中央位置とが一致するように、前記表紙画像データ取得手段により取得された背表紙画像データを配置する表紙画像データ配置手段と、前記表紙画像データ配置手段により配置された前記表表紙画像データ、前記裏表紙画像データ及び前記背表紙画像データに基づいて表紙用の記録媒体に画像を形成する画像形成手段と、を有することを特徴としている。
【０００８】
本発明の画像形成システムは、本発明の前記画像形成装置と、用紙束と前記画像形成装置により表紙用の画像が形成された記録媒体とを接合し、前記用紙束を前記記録媒体でコの字状に覆った冊子を生成する製本装置と、を有することを特徴としている。
【０００９】
本発明のプログラムは、背表紙幅を取得する背表紙幅取得ステップと、表表紙画像データ、裏表紙画像データ及び背表紙画像データを取得する表紙画像データ取得ステップと、前記背表紙幅取得ステップにより取得された背表紙幅の間隔を隔てて表表紙画像及び裏表紙画像が形成されるように、前記表紙画像データ取得ステップにより取得された表表紙画像データ及び裏表紙画像データを配置するとともに、前記表表紙画像と前記裏表紙画像を含む領域の幅方向中央位置と背表紙画像の中央位置とが一致するように、前記表紙画像データ取得ステップにより取得された背表紙画像データを配置する表紙画像配置ステップと、をコンピュータに実行させることを特徴としている。
【発明の効果】
【００１０】
本発明によれば、背表紙の幅方向中央と背表紙画像データの幅方向中央とは常に一致するので、背表紙幅を変更したとしても、背表紙の適正な位置に背表紙画像を形成することができる。
【発明を実施するための最良の形態】
【００１１】
（装置構成）
図１は、本実施形態に係る画像形成システムの構成を示すブロック図であり、画像形成装置１０と糊付けくるみ製本装置３０とが接続されている。
【００１２】
画像形成装置１０は、プログラムに従って画像形成装置１０の各種制御を実行するＣＰＵ１１を中心に、バス１２により、ＲＯＭ１３、ＲＡＭ１４、原稿読取部１５、給紙部１６、画像形成部１７、不揮発性メモリ１８、操作部１８、表示部１９、及び通信部２０が相互に接続されている。
【００１３】
ＲＯＭ１３は、各種プログラムやデータを記憶しており、ＣＰＵ１１がこれらプログラムやデータを利用して画像形成装置１０の制御を実行する。
【００１４】
ＲＡＭ１４は、ＣＰＵ１１によってワークエリアとして利用され、ＣＰＵ１１が制御を実行する際に必要なプログラムやデータを一時的に記憶する。
【００１５】
原稿読取部１５は、表表紙原稿、本身原稿、裏表紙原稿、背表紙原稿を読み取って画像データを生成する。生成された画像データは、ＣＰＵ１１にて画像処理が施され、画像形成部１７に出力される。
【００１６】
給紙部１６は、表紙用紙及び本身用紙を収容し、画像形成部１７に向けて表紙用紙又は本身用紙を給紙する。
【００１７】
画像形成部１７は、原稿読取部１５から入力される画像データに基づいて本身用紙又は表紙用紙に画像形成を行う。
【００１８】
操作部１８は、ユーザにより操作され、背表紙幅の設定、プリント開始指示、等が入力される。
【００１９】
表示部１９は、背表紙幅入力画面等の設定画面を表示する。表示部１９がタッチパネルで構成され、操作部１８を兼ねていてもよい。
【００２０】
通信部２０は、外部機器と通信を行うためのインターフェースであり、パーソナルコンピュータ等から送信されてくる画像データ等を受信する。
【００２１】
糊付けくるみ製本装置３０は、プログラムに従って糊付けくるみ製本装置３０の各種制御を実行する制御手段であるＣＰＵ３１を中心に、バス３２により、ＲＯＭ３３、ＲＡＭ３４、接合部３５、及び通信部３６が相互に接続されている。
【００２２】
ＲＯＭ３３は、各種プログラムやデータを記憶しており、ＣＰＵ３１がこれらプログラムやデータを利用して糊付けくるみ製本装置３０の制御を実行する。
【００２３】
ＲＡＭ３４は、ＣＰＵ３１によってワークエリアとして利用され、ＣＰＵ３１が制御を実行する際に必要なプログラムやデータを一時的に記憶する。
【００２４】
接合部３５は、塗布部３５１を有し、画像形成装置から排出された本身用の複数枚用紙の束の背部に塗布部３５１により接着剤を塗布し、画像形成装置１０で表紙用画像が形成された表紙用紙を接着剤により接着させる。
【００２５】
通信部３６は、画像形成装置１０に接続され、画像形成装置１０との間で各種データを送受信する。
【００２６】
図２は、くるみ製本を行った冊子の説明図である。冊子１は、くるみ製本された冊子で、コの字状となった表紙用紙２と、用紙３（本身用紙と称する場合もある）が複数枚束になった用紙束４の背部４ａと、が接着剤５により接着されている。２Ａは冊子としての表表紙、２Ｂは冊子としての裏表紙、２Ｃは冊子としての背表紙を指し、２Ｄは表／裏表紙のおもて面、２Ｅは表／裏表紙の裏面を指している。ここで、裏面とは表紙用紙を冊子形態としたときの用紙束と接着されている側の面を指し、おもて面とはその反対側の面すなわち冊子形態としたときの冊子の外側表面を指している。
【００２７】
（表紙画像形成の概要）
図３は、表紙用紙への画像形成の一例を示した図である。尚、表紙用紙の片面に画像形成する場合について示す。図３に示すように、１ページが表表紙画像データＦ、２〜（Ｎ−２）ページが本身画像データＨ、（Ｎ−１）ページが裏表紙画像データＢ、Ｎページが背表紙画像データＳに対応している。これらの画像データは、表表紙原稿、本身原稿、裏表紙原稿、背表紙原稿を順番に重ねて原稿読取部１５にセットし、当該順番に原稿読取部１５により読み取ることにより得られる。ここで、背表紙原稿のサイズは、表表紙原稿、本身原稿及び裏表紙原稿のサイズと同サイズであり、背表紙原稿が読み取られて得られる背表紙画像データＳのサイズも表表紙画像データＦ、本身画像データＨ及び裏表紙画像データＢのサイズと同サイズである。
【００２８】
表紙用紙に画像形成される表紙画像形成データとしては、図３に示すように、左から、（Ｎ−１）ページ目の裏表紙画像データＢ、Ｎページ目の背表紙画像データＳ及び１ページ目の表紙画像データＦが順番に配置され合成されたものが得られる。
【００２９】
裏表紙画像データＢ、背表紙画像データＳ及び表表紙画像データＦを合成する際には、操作部１８により設定される背表紙幅Ｄの間隔を隔てて裏表紙画像データＢ及び表表紙画像データＦが配置されるとともに、配置された裏表紙画像データＢ及び表表紙画像データＦの幅方向の中央線ＢＦＣの位置に背表紙画像データＳが当該データの幅方向の中央線ＳＣを一致させるように配置される。また、背表紙画像データＳの裏表紙画像データＢ及び表表紙画像データＦとの重畳領域Ａについては、背表紙画像データＳは無効とされる。
【００３０】
なお、幅方向とは、図２のＸ方向であり、冊子形状になった場合の用紙の束の背部４ａから小口部４ｂに向かう方向である。
【００３１】
重畳領域Ａに対応する背表紙画像データＳを無効とする方法としては、重畳領域Ａを認識して重畳領域Ａに対応する背表紙画像データＳを無効とする方法や、背表紙画像データＳ中の背表紙幅Ｄに対応する領域を認識し、背表紙画像データＳ中の背表紙幅Ｄに対応する領域以外のデータのみを抽出する方法等、適宜、採用することができる。
【００３２】
図４は、表紙用紙への画像形成の他の一例を示した図である。背表紙画像データＳの裏表紙画像データＢ及び表表紙画像データＦとの重畳領域Ａの処理が異なる以外は、図３と同様である。
【００３３】
図４においては、背表紙画像データＳの裏表紙画像データＢ及び表表紙画像データＦとの重畳領域Ａは、背表紙画像データと、裏表紙画像データ及び表表紙画像データとがＯＲ演算された画像データとなっている。
【００３４】
以上のように、裏表紙画像データＢ及び表表紙画像データＦの間隔の中央に背表紙画像データＳを当該データの幅方向中央が一致するように配置すれば、背表紙幅を変更したとしても、背表紙画像データの中央は常に背表紙の中央に一致するので、背表紙の適正な位置に背表紙画像を形成することができる。
【００３５】
また、背表紙画像データＳの裏表紙画像データＢ及び表表紙画像データＦとの重畳領域Ａにおいて、背表紙画像データＳを無効にすれば図３のような表紙画像が、背表紙画像データと裏表紙画像データ及び表表紙画像データとをＯＲ演算すれば図４のような表紙画像が簡単に得られ、場合に応じて適正な表紙画像を容易に得ることができる。
【００３６】
また、背表紙原稿のサイズが、表表紙原稿、本身原稿及び裏表紙原稿のサイズと同サイズであれば、背表紙原稿を他の原稿に単純に重ねるだけでよいので、原稿読取部１５への原稿のセットも容易におこなうことができる。
【００３７】
（表紙画像形成処理）
図５は、本実施形態に係る表紙画像形成処理を示すフロー図である。一例であり、これに限られない。この処理は、ＲＯＭ１３に記憶されるプログラムに基づいて、ＣＰＵ１１が処理を実行することにより行われる。
【００３８】
まず、ＣＰＵ１１は、背表紙幅入力画面を表示部１９に表示する。これに応答して、ユーザが操作部１８により背表紙幅Ｄを入力することにより、ＣＰＵ１１に背表紙幅Ｄが入力される（ステップＳ１）。
【００３９】
次に、ユーザが原稿読取部１５に原稿をセットし、操作部１８によりプリント開始指示を行うと、ＣＰＵ１１は、原稿読取部１５を駆動し、原稿画像を入力させる（ステップＳ２）。これにより、図３において説明したように、例えば、１ページが表表紙画像データＦ、２〜（Ｎ−２）ページが本身画像データＨ、（Ｎ−１）ページが裏表紙画像データＢ、Ｎページが背表紙画像データＳの画像データが入力され、ＲＡＭ１４に記憶される。
【００４０】
次に、ＣＰＵ１１は、表紙画像形成データを得るための合成処理を行う（ステップＳ３）。合成処理の詳細については、後述する。
【００４１】
次に、ＣＰＵ１１は、給紙部１６に対して収容されている表紙用紙を給紙するよう要求し、また画像形成部１７に対して給紙された表紙用紙にステップＳ３において合成された表紙画像形成データに基づいて画像形成を行うよう要求する（ステップＳ４）。これにより、表紙用紙に合成された表紙画像形成データが形成される。
【００４２】
（表紙画像合成処理）
図６は、図５のステップＳ３における表紙画像合成処理を示すフロー図である。一例であり、これに限られない。この処理についても、ＲＯＭ１３に記憶されるプログラムに基づいて、ＣＰＵ１１が処理を実行することにより行われる。
【００４３】
まず、ＣＰＵ１１は、図５のステップＳ２で入力されたページ画像データのうち、表紙用紙に画像形成するページ画像データを抽出する。最終ページであるＮページの画像データを背表紙画像データＳ、１ページの画像データを表表紙画像データＦ、及び（Ｎ−１）ページの画像データを裏表紙画像データＢとして、抽出する（ステップＳ３１）。
【００４４】
次に、ＣＰＵ１１は、図５のステップＳ１で入力された背表紙幅Ｄの間隔を隔てて、裏表紙画像データＢ及び表表紙画像データＦを配置する（ステップＳ３２）。
【００４５】
次に、ＣＰＵ１１は、背表紙幅Ｄの間隔を隔てて配置された裏表紙画像データＢ及び表表紙画像データＦの幅方向の中央線ＢＦＣの位置を算出する（ステップＳ３３）。
【００４６】
次に、ＣＰＵ１１は、背表紙画像データＳの幅Ｗを算出し、背表紙画像データＳの幅方向の中央線ＳＣの位置を算出する（ステップＳ３４）。
【００４７】
次に、ＣＰＵ１１は、ステップＳ３２で配置された裏表紙画像データＢ及び表表紙画像データＦに背表紙画像データＳを付加する。この際、ステップＳ３４で算出した背表紙画像データＳの中央線ＳＣが背表紙幅Ｄの間隔を隔てて配置された裏表紙画像データＢ及び表表紙画像データＦの中央線ＢＦＣに一致するように配置する（ステップＳ３５）。
【００４８】
次に、ＣＰＵ１１は、背表紙画像データＳの裏表紙画像データＢ及び表表紙画像データＦとの重畳領域Ａを抽出する（ステップＳ３６）。
【００４９】
次に、ＣＰＵ１１は、重畳領域Ａにおける背表紙画像データＳの処理を行う（ステップＳ３７）。図３の場合は、背表紙画像データＳを削除し、重畳領域Ａにおける背表紙画像データＳを無効化する。図４の場合は、重畳領域Ａにおける背表紙画像データと、重畳領域Ａにおける裏表紙画像データ及び表表紙画像データとをＯＲ演算する。なお、重畳領域Ａを抽出せずに背表紙画像データＳ中の背表紙幅Ｄに対応する領域を認識し、背表紙画像データＳ中の背表紙幅Ｄに対応する領域以外のデータのみを抽出する場合には、ステップＳ３６を省き、ステップＳ３７を背表紙画像データＳ中の背表紙幅Ｄに対応する領域以外のデータのみを抽出するステップに置き換えれば良い。
【００５０】
本実施形態では、原稿読取部１５から画像入力を行ったが、通信部２０を介してパーソナルコンピュータ等の外部機器から画像入力を行ってもよい。
【００５１】
また、本実施形態では、画像形成装置１０に設けられたプログラムに基づいて裏表紙画像データＢ、表表紙画像データＦ及び背表紙画像データＳの配置を行ったが、パーソナルコンピュータ等の外部機器で画像データを作成し、当該外部機器にインストールされたプリンタドライバ等のプログラムに基づいて、裏表紙画像データＢ、表表紙画像データＦ及び背表紙画像データＳの配置を行ってもよい。
【図面の簡単な説明】
【００５２】
【図１】本実施形態に係る画像形成装置の構成を示すブロック図である。
【図２】くるみ製本を行った冊子の説明図である。
【図３】表紙用紙への画像形成の一例を示した図である。
【図４】表紙用紙への画像形成の他の一例を示した図である。
【図５】本実施形態に係る表紙画像形成処理を示すフロー図である。
【図６】図５のステップＳ３における表紙画像合成処理を示すフロー図である。
【符号の説明】
【００５３】
１０  画像形成装置
１１  ＣＰＵ
１３  ＲＯＭ
１５  原稿読取部
１７  画像形成部
１８  操作部
２０  通信部
Ａ  重畳領域
Ｄ  背表紙幅
Ｆ  表表紙画像データ
Ｂ  裏表紙画像データ
Ｓ  背表紙画像データ
【図１】
0004600302.tif 000002
【図２】
0004600302.tif 000003
【図３】
0004600302.tif 000004
【図４】
0004600302.tif 000005
【図５】
0004600302.tif 000006
【図６】
0004600302.tif 000007